(57)【要約】  【課題】  破壊編集時の交替処理による実時間再生の破綻を防ぐ。  【解決手段】  ディスク上に、記録時に直前の記録単位までのデータを再生可能とするために、マーカブロック２０２が設けられる。マーカブロック２０２は、記録単位の記録が完了した時点で、不要となる。破壊編集時の交替領域として、記録媒体本来の交替領域を用いずに、マーカブロック２０２を代替的に用い、例えばディフェクト部２００Ａに書き込まれるべきデータは、交替部２０３Ａに書き込まれる。破壊編集結果を再生する際には、位置ｃから位置ｃ’にシークがなされ、交替部２０３Ａを再生したら、位置ｄ’から位置ｄにシークがなされる。マーカブロック２０２は、所定の記録単位毎に設けられるため、記録媒体本来の交替領域にシークを行うよりも、シーク距離が極めて短くなり、交替処理のシーク動作による実時間再生の破綻が防がれる。【選択図】  図１０
2006107647.tif 000002
【特許請求の範囲】
【請求項１】
ランダムアクセス可能な記録媒体を用いてビデオデータ、オーディオデータ、または、該ビデオデータまたはオーディオデータに対応するリアルタイムメタデータの記録再生を行い、該記録媒体上で、該記録媒体に記録されたビデオデータ、オーディオデータ、または、該ビデオデータまたはオーディオデータに対応するリアルタイムメタデータに対して破壊編集を行うようにした記録再生装置であって、
ランダムアクセス可能な記録媒体上で、該記録媒体に記録されたビデオデータ、オーディオデータ、または、該ビデオデータまたはオーディオデータに対応するリアルタイムメタデータに対して破壊編集を行う際に、上記記録媒体に予め設けられた交替領域を用いないようにしたことを特徴とする記録再生装置。
【請求項２】
請求項１に記載の記録再生装置において、
上記破壊編集を行う際に、交替処理を禁止するようにしたことを特徴とする記録再生装置。
【請求項３】
請求項１に記載の記録再生装置において、
上記破壊編集を行う際に、交替処理を、該交替処理の対象となる領域に対して上記交替領域より近い位置にある空きまたは不要領域を用いて行うようにしたことを特徴とする記録再生装置。
【請求項４】
請求項３に記載の記録再生装置において、
上記空きまたは不要領域は、上記記録媒体上に所定の記録単位毎に設けられることを特徴とする記録再生装置。
【請求項５】
請求項４に記載の記録再生装置において、
上記空きまたは不要領域は、対応する上記所定の記録単位の記録完了時に不要となる情報が記録されていることを特徴とする記録再生装置。
【請求項６】
請求項３に記載の記録再生装置において、
上記記録媒体上には、上記空きまたは不要領域が複数、設けられ、上記交替処理は、該交替処理で交替される領域に最も近い位置にある上記空きまたは不要領域を選択して用いて行うようにしたことを特徴とする記録再生装置。
【請求項７】
ランダムアクセス可能な記録媒体を用いてビデオデータ、オーディオデータ、または、該ビデオデータまたはオーディオデータに対応するリアルタイムメタデータの記録再生を行い、該記録媒体上で、該記録媒体に記録されたビデオデータ、オーディオデータ、または、該ビデオデータまたはオーディオデータに対応するリアルタイムメタデータに対して破壊編集を行うようにした編集方法であって、
ランダムアクセス可能な記録媒体上で、該記録媒体に記録されたビデオデータ、オーディオデータ、または、該ビデオデータまたはオーディオデータに対応するリアルタイムメタデータに対して破壊編集を行う際に、上記記録媒体に予め設けられた交替領域を用いないようにしたことを特徴とする編集方法。
【発明の詳細な説明】
【技術分野】
【０００１】
この発明は、ランダムアクセス可能な記録媒体を用いてＡＶ(Audio/Video)データおよびＡＶデータに対応するリアルタイムメタデータの編集を行う記録再生装置および編集方法に関する。
【背景技術】
【０００２】
特に放送局などのプロフェッショナルな現場では、ビデオカメラで撮影され記録媒体に記録されたディジタルオーディオデータおよび／またはディジタルビデオデータは、後に、必要に応じて編集がなされて用いられる。また、これらディジタルオーディオデータおよび／またはディジタルビデオデータと共に、これらディジタルオーディオデータおよび／またはディジタルビデオデータに関する情報であるリアルタイムメタデータが記録され、編集に用いられる。以下では、これらディジタルオーディオデータ、ディジタルビデオデータ、リアルタイムメタデータを適宜まとめて、ＡＶ(Audio/Video)データと呼ぶ。編集作業は、概略的には、記録媒体から再生されたＡＶデータから所望の映像カットを抽出し、当該映像カットの開始点（ＩＮ点）および終了点（ＯＵＴ点）をマークする。そして、マークされたそれぞれのＩＮ点およびＯＵＴ点に基づき複数の映像カットを接続し、所望の映像カットが連続的に接続された映像を得る。
【０００３】
従来から、ＡＶデータの記録再生には、磁気テープといったシリアルアクセス型の記録媒体が用いられていた。これに加えて、近年では、光ディスク、ハードディスク、半導体メモリなどといった、ランダムアクセス可能な記録媒体が、ＡＶデータの記録再生に多く用いられるようになってきている。ランダムアクセス可能な記録媒体は、同一の記録媒体上で編集作業を完結できるノンリニア編集が可能である。以下では、このランダムアクセス可能な記録媒体を、ノンリニア記録媒体と呼ぶ。特許文献１には、このような、ノンリニア編集を行うようにした編集装置が記載されている。
【特許文献１】特開２００１−３１９４６３号公報
【０００４】
ノンリニア記録媒体は、一般的に、アクセス速度が磁気テープなどのシリアルアクセス型の記録媒体に比べて非常に高速である。特にハードディスクは、高速なアクセス速度を有すると共に、記録容量が大きく、大量のＡＶデータを記録することができる。また、光ディスクや半導体メモリも、近年では、複数のＡＶデータを記録するのに十分な記憶容量を持ったものが出現してきている。このようなノンリニア記録媒体においては、一つの記録媒体上で、編集に用いるＩＮ点およびＯＵＴ点間のＡＶデータの再生と、編集されたＡＶデータの記録とを並列的に行い、且つ、編集後のＡＶデータを当該記録媒体上の他の位置に記録する処理を容易に行うことができる。そのため、ノンリニア記録媒体を用いる場合、元のＡＶデータを残したまま編集を行う、非破壊編集が行われていた。
【０００５】
従来、ノンリニア記録媒体を用いた編集は、以下の２通りの方法のうち何れかにより行われていた。従来のノンリニア記録媒体を用いた編集方法の第１の方法は、編集未対象部分を含めて編集結果全体を記録媒体上の空き領域に書き出す方法である。また、第２の方法は、編集に必要なＡＶデータのみを記録媒体上の空き領域に書き出し、当該ＡＶデータと編集対象外領域との連続再生を指示する制御データを生成する方法である。何れも、編集されるオリジナルのデータには変更が加えられない、非破壊編集である。
【０００６】
一方、記録媒体には、記録媒体の一部が欠陥により物理的に読み書きできなくなった場合に代替的に用いることができる、交替領域が設けられる。例えば、記録媒体に対するアクセス（特に記録時のアクセス）の際に欠陥領域が認識された場合、通常は交替処理が行われ、当該欠陥領域のアドレスが交替領域内に移動される。
【発明の開示】
【発明が解決しようとする課題】
【０００７】
ところで、交替領域は、ディスク状記録媒体の場合、一般的には、最内周側または最外周側に設けられる。ディスクの回転制御を、ディスクの半径方向に段階的に回転速度を変更するゾーン制御で行っている場合には、ゾーン毎に交替領域を設ける場合もある。
【０００８】
ＡＶデータのような、実時間再生が必要とされるデータを記録する際に交替処理が行われると、再生時に、欠陥領域において交替領域へのシークが発生する。欠陥領域と交替領域との間が離れている場合など、シークに多くの時間を要することになり、実時間再生が保障できなくなる可能性があるという問題点があった。
【０００９】
したがって、この発明の目的は、交替処理による実時間再生の破綻を防ぐようにした記録再生装置および編集方法を提供することにある。
【課題を解決するための手段】
【００１０】
この発明は、上述した課題を解決するために、ランダムアクセス可能な記録媒体を用いてビデオデータ、オーディオデータ、または、ビデオデータまたはオーディオデータに対応するリアルタイムメタデータの記録再生を行い、記録媒体上で、記録媒体に記録されたビデオデータ、オーディオデータ、または、ビデオデータまたはオーディオデータに対応するリアルタイムメタデータに対して破壊編集を行うようにした記録再生装置であって、ランダムアクセス可能な記録媒体上で、記録媒体に記録されたビデオデータ、オーディオデータ、または、ビデオデータまたはオーディオデータに対応するリアルタイムメタデータに対して破壊編集を行う際に、記録媒体に予め設けられた交替領域を用いないようにしたことを特徴とする記録再生装置である。
【００１１】
また、この発明は、ランダムアクセス可能な記録媒体を用いてビデオデータ、オーディオデータ、または、ビデオデータまたはオーディオデータに対応するリアルタイムメタデータの記録再生を行い、記録媒体上で、記録媒体に記録されたビデオデータ、オーディオデータ、または、ビデオデータまたはオーディオデータに対応するリアルタイムメタデータに対して破壊編集を行うようにした編集方法であって、ランダムアクセス可能な記録媒体上で、記録媒体に記録されたビデオデータ、オーディオデータ、または、ビデオデータまたはオーディオデータに対応するリアルタイムメタデータに対して破壊編集を行う際に、記録媒体に予め設けられた交替領域を用いないようにしたことを特徴とする編集方法である。
【００１２】
上述したように、この発明は、ランダムアクセス可能な記録媒体上で、記録媒体に記録されたビデオデータ、オーディオデータ、または、ビデオデータまたはオーディオデータに対応するリアルタイムメタデータに対して破壊編集を行う際に、記録媒体に予め設けられた交替領域を用いないようにしているため、破壊編集による編集結果を再生する際に、記録媒体に予め設けられた交替領域へのシーク動作が行われず、このシーク動作による実時間再生の破綻を防ぐことができる。
【発明の効果】
【００１３】
この発明は、ランダムアクセス可能な記録媒体上で、記録媒体に記録されたビデオデータ、オーディオデータ、または、ビデオデータまたはオーディオデータに対応するリアルタイムメタデータに対して破壊編集を行う際に、記録媒体に予め設けられた交替領域を用いないようにしているため、破壊編集による編集結果を再生する際に、記録媒体に予め設けられた交替領域へのシーク動作が行われず、このシーク動作による実時間再生の破綻を防ぐことができる効果がある。
【００１４】
また、この発明の実施の第１の形態では、破壊編集時の交替処理を禁止しているため、破壊編集による編集結果を再生する際にも交替処理によるシーク動作が発生せず、編集結果の実時間再生が保障される効果がある。
【００１５】
さらに、この発明の実施の第２の形態では、破壊編集時の交替処理を、記録媒体に対して予め設けられた本来の交替領域を用いずに、ディフェクト位置の近傍にある不要領域または空き領域を代替的に用いて行うようにしているため、ディフェクトに対する交替処理を行えると共に、本来の交替領域を用いて交替処理を行った場合よりも、編集結果の再生時における交替処理によるシーク動作が小さくて済むため、交替処理のシーク動作による実時間再生の破綻を防ぐことができる効果がある。
【発明を実施するための最良の形態】
【００１６】
以下、この発明の実施の一形態を、図面を参照しながら説明する。先ず、理解を容易とするために、この発明に適用可能な記録媒体および記録再生装置について説明する。図１は、ディスク状記録媒体における一例のデータ配置を示す。この図１に一例が示されるデータ配置は、記録可能な光ディスク、ハードディスクといった、ランダムアクセスが可能なディスク状記録媒体における一般的なデータ配置である。このようなデータ配置を、半導体メモリなどの、非ディスク状記録媒体に適用することもできる。論理アドレス空間は、任意のデータを記録再生可能な領域である。
【００１７】
論理アドレスの先端および後端には、ファイルシステムＦＳが配置される。任意のデータは、論理アドレス空間内に一般的にファイルと称される所定の形式で記録される。記録媒体上のデータは、基本的にファイル単位で管理される。ファイルの管理情報は、ファイルシステムＦＳに記録される。記録再生装置のシステム制御部（後述する）のファイルシステム層は、このファイルシステムＦＳの情報を参照および操作することで、多種多様なデータを一つの記録媒体上で管理することができる。
【００１８】
論理アドレス空間の外に、交替領域が配置される。交替領域は、記録媒体の一部が欠陥（ディフェクト）により物理的に読み書きできなくなった場合に代替的に用いることができる領域である。例えば、記録媒体に対するアクセス（特に記録時のアクセス）の際に欠陥領域が認識された場合、通常は交替処理が行われ、当該欠陥領域のアドレスが交替領域内に移動される。
【００１９】
交替領域の使用状況は、所定領域にディフェクトリストとして記憶され、記録再生装置のドライブ制御部や、システム制御部の下位階層により用いられる。すなわち、後述するドライブ制御部やシステム制御部の下位階層では、記録媒体へのアクセスの際にディフェクトリストを参照することで、交替処理が行われている場合にも、適切な領域へのアクセスを行うことができる。交替領域のこの仕組みにより、上位アプリケーションは、記録媒体上の不良記録領域の有無や位置などを考慮することなく、記録媒体に対するデータの記録再生を行うことができる。
【００２０】
ディスク状記録媒体の場合、交替領域は、ディスクの最内周側または最外周側に配置されることが多い。ディスクの回転制御を、ディスクの半径方向に段階的に回転速度を変更するゾーン制御で行っている場合には、ゾーン毎に交替領域を設ける場合もある。記録媒体が半導体メモリなどディスク状記録媒体ではない場合には、物理アドレスが最も小さい側または最も大きい側に配置されることが多い。
【００２１】
ＡＶデータを扱うアプリケーションにおいては、連続同期再生、すなわち実時間再生が保障された再生が必要な単位となるデータのまとまりを、クリップと呼ぶ。例えば、ビデオカメラにより撮影が開始されてから終了されるまでのひとまとまりのデータがクリップとされる。クリップの実体は、単一のファイルまたは複数のファイルからなる。この発明においては、クリップは、複数のファイルからなる。クリップの詳細については、後述する。
【００２２】
論理アドレス空間に対して、例えば先頭側にクリップ以外の任意のファイルが記録できるＮＲＴ(Non Real Time)領域が配置され、ＮＲＴ領域の次から、クリップが順に詰め込まれていく。クリップは、光ディスク１００上のディフェクト位置を避けて配置され、上述した交替処理が行われないようにされる。各クリップには、ヘッダ（Ｈ）およびフッタ（Ｆ）が付加される。この例では、ヘッダおよびフッタは、クリップの後端側にまとめて配置されている。
【００２３】
論理アドレス空間内において、データが記録されていない領域や、過去にデータが記録されていたが現在では不要になった領域は、未使用領域としてファイルシステムＦＳに管理される。記録媒体上に新たに記録されるファイルに対して、未使用領域に基づき記録領域が割り当てられる。当該ファイルの管理情報は、ファイルシステムＦＳに追加される。
【００２４】
記録媒体として記録可能な光ディスクを用いた場合、この発明では、クリップを年輪構造によって記録媒体に記録する。図２および図３を用いて、年輪構造について説明する。図２Ａは、一つのクリップ２０をタイムライン上に示す例である。この例では、クリップ２０は、ビデオデータ２１、オーディオデータ２２Ａ〜２２Ｄ、補助ＡＶデータ２３およびリアルタイムメタデータ２４の７ファイルからなる。
【００２５】
ビデオデータ２１は、ベースバンドのビデオデータを高ビットレートで圧縮符号化したビデオデータである。圧縮符号化方式としては、例えばＭＰＥＧ２(Moving Pictures Experts Group 2)方式が用いられる。オーディオデータ２２Ａ、２２Ｂ、２２Ｃおよび２２Ｄは、ベースバンドのオーディオデータが用いられ、それぞれ２チャンネルのオーディオデータである。これに限らず、オーディオデータ２２Ａ、２２Ｂ、２２Ｃおよび２２Ｄは、ベースバンドのオーディオデータを高ビットレートで圧縮符号化したオーディオデータを用いてもよい。ビデオデータ２１およびオーディオデータ２２Ａ〜２２Ｄは、実際の放送や編集の対象とされるデータであって、本線系のデータと称される。
【００２６】
補助ＡＶデータ２３は、ベースバンドのビデオデータおよびオーディオデータを、本線系のビデオデータおよびオーディオデータに対してより低ビットレートで圧縮符号化して多重化したデータである。圧縮符号化方式としては、例えばＭＰＥＧ４方式が用いられ、本線系のＡＶデータを、ビットレートを例えば数Ｍｂｐｓ(Mega bits per second)まで落とすように圧縮符号化して生成する。補助ＡＶデータ２３は、編集点などを決める際に本線系のデータの代理として用いられるデータであって、プロキシ(Proxy)データとも称される。なお、この実施の一形態では、補助ＡＶデータにおけるオーディオデータのチャンネル数が８チャンネルに固定的とされる。
【００２７】
メタデータは、あるデータに関する上位データであり、各種データの内容を表すためのインデックスとして機能する。メタデータには、上述の本線系のＡＶデータの時系列に沿って発生されるリアルタイムメタデータ２４と、本線系のＡＶデータにおけるシーン毎など、所定の区間に対して発生される非時系列メタデータの２種類がある。非時系列メタデータは、例えば図１で説明したＮＲＴ領域に記録される。
【００２８】
クリップ２０は、図２Ｂに一例が示されるように、所定の再生時間を基準として分割され、年輪構造として光ディスクに記録される。一つの年輪は、図２Ｃに一例が示されるように、ビデオデータ２１、オーディオデータ２２Ａ〜２２Ｄ、補助ＡＶデータ２３およびリアルタイムメタデータ２４を、それぞれ再生時間帯が対応するように、トラック１周分以上のデータサイズを有する所定の再生時間単位に分割し、分割された再生時間単位毎に順に配置して記録する。すなわち、クリップ２０を構成する各データは、年輪構造により所定時間単位でインターリーブされ、光ディスクに記録される。
【００２９】
なお、年輪を形成するデータを年輪データと称する。年輪データは、ディスクにおける最小の記録単位の整数倍のデータ量とされる。また、年輪は、その境界がディスクの記録単位のブロック境界と一致するように記録される。
【００３０】
図３は、光ディスク１００に対して年輪データが形成された一例の様子を示す。この図３の例では、光ディスク１００の内周側から順に、補助ＡＶ年輪データ＃１、リアルタイムメタ年輪データ＃１、チャンネル数分のオーディオ年輪データ＃１、ビデオ年輪データ＃１が記録されており、この周期で年輪データが扱われる。ビデオ年輪データ＃１の外周側には、さらに、次の周期の年輪データの一部が補助ＡＶ年輪データ＃２として示されている。
【００３１】
この図３の例は、リアルタイムメタ年輪データの１年輪データ分の再生時間帯と補助ＡＶ年輪データの１年輪データ分の再生時間帯とが対応し、リアルタイムメタ年輪データの１年輪データ分の再生時間帯とオーディオ年輪データの２周期分の再生時間帯が対応することを示している。同様に、リアルタイムメタ年輪データの１年輪データ分の再生時間帯とビデオ年輪データの４周期分の再生時間帯が対応することを示している。このような、各年輪データの再生時間帯および周期の対応付けは、例えばそれぞれのデータレートなどに基づき設定される。以下では、１年輪データ分の再生時間を２秒とする。
【００３２】
なお、クリップに対するヘッダやフッタも、図２Ｄに一例が示されるように、年輪構造によって記録される。
【００３３】
図４は、この発明に適用可能な記録再生装置の一例の構成を概略的に示す。この記録再生装置は、例えばビデオカメラと接続され、ビデオカメラで撮影され得られたＡＶデータを信号処理して光ディスク１００に記録する。また、光ディスク１００に記録されたＡＶデータなどを再生し、所定に信号処理して出力する。さらに、装置に付属するコントロールパネルや、図示されないＲＳ−４２２インターフェイスを介して接続される入力装置などからの指示に基づき、光ディスク１００に記録されたＡＶデータに対して編集作業を行うことができる。
【００３４】
システム制御部１７は、１または複数のＣＰＵ(Central Processing Unit)と、プログラムやデータが予め記憶されるＲＯＭ(Read Only Memory)、ＣＰＵのワークメモリとして用いられるＲＡＭ(Random Access Memory)などを有し、ＲＯＭから読み出されたプログラムに従い、制御入出力端から入力された制御信号に応じて、この記録再生装置の全体を制御する。制御入力端には、例えば上述したコントロールパネルや、ＲＳ−４２２インターフェイスを介して入力装置が接続される。
【００３５】
記録系の構成について説明する。制御入出力端からシステム制御部１７に対して記録動作が指示される。システム制御部１７は、この記録動作指示に基づき、この記録再生装置の各部に対して、記録動作を開始できるように命令を出す。
【００３６】
例えばビデオカメラや外部の装置から、記録すべきベースバンドのＡＶデータが記録信号処理部１３に供給される。記録信号処理部１３は、入力されたベースバンドのＡＶデータに対して所定の信号処理や圧縮符号化処理を施し、記録するための本線系ＡＶデータおよび補助ＡＶデータを生成する。
【００３７】
例えば、ベースバンドのビデオデータがＭＰＥＧ２方式により、１ＧＯＰ(Group Of Picture)が１フレームから構成されるようにし、さらに、所定のビットレートになるように制御されて圧縮符号化され、本線系のビデオデータが生成される。オーディオデータに関しては、例えばＰＣＭ(Pulse Code Modulation)データのまま、圧縮符号化されずに本線系のオーディオデータとして用いられる。
【００３８】
また、ベースバンドのビデオデータおよびオーディオデータが例えばＭＰＥＧ４方式により、ビットレートが数Ｍｂｐｓにて圧縮符号化され、補助ＡＶデータが生成される。ビデオデータに関して、補助ＡＶデータでは、所定数のフレームを単位として符号化が行われる。この実施の一形態では、補助ＡＶデータのビデオデータは、１枚のＩピクチャおよび９枚のＰピクチャの１０フレームで、１ＧＯＶ(Group Of Video Object Plane)が形成されてなる。
【００３９】
補助ＡＶデータにおけるオーディオデータは、本線系のオーディオデータを、例えば時間軸方向を圧縮するサンプリング周波数変換と、語長を圧縮する対数圧縮とを組み合わせて瞬時圧縮することにより、生成している。サンプリング周波数変換は、例えばサンプリング周波数が４８ｋＨｚの本線系のオーディオデータを、サンプリング周波数が８ｋＨｚのオーディオデータにダウンサンプリングして行う。語長圧縮の方式としては、データの小振幅時には量子化ステップを小さく設定し、大振幅時には量子化ステップを大きく設定することで語長の圧縮を行う、Ａ−Ｌａｗ方式を用いることができる。また、圧縮符号化を行う前に、本線系のオーディオデータを、ローパスフィルタにより予め帯域制限することで、圧縮符号化による音質劣化を最小限とすることができる。この実施の一形態では、ローパスフィルタとして、５１２タップのＦＩＲ(Finite Impulse Response)フィルタを用いている。
【００４０】
記録信号処理部１３から出力された本線系ＡＶデータおよび補助ＡＶデータは、フォーマッタ／アンフォーマッタ部１２に供給される。この記録信号処理部１３から出力される本線系ＡＶデータおよび補助ＡＶデータと、後述するメタデータ処理部１５から出力されるリアルタイムメタデータにより、クリップが構成される。
【００４１】
メタデータ処理部１５は、システム制御部１７の制御に基づき、本線系ＡＶデータおよび補助ＡＶデータと共に光ディスク１００に記録されるリアルタイムメタデータや、クリップを所定の形式に整えるためのデータ（ヘッダおよびフッタ）を生成する。メタデータ処理部１５では、非時系列系メタデータも生成される。メタデータ処理部１５で生成されたこれらのデータは、フォーマッタ／アンフォーマッタ部１２に供給される。
【００４２】
フォーマッタ／アンフォーマッタ部１２は、記録信号処理部１３およびメタデータ処理部１５から供給された各データを、上述した年輪構造に配置する。例えば、フォーマッタ／アンフォーマッタ部１２は、メモリを有し、供給された各データを、メモリ上に年輪構造に対応したアドレス配置で以て溜め込む。そして、メモリから、年輪単位でデータを読み出すように、読み出し制御を行う。年輪構造に配置されたクリップは、年輪単位でドライブ制御部１１に供給される。
【００４３】
ドライブ制御部１１は、記録時には、供給されたデータに対して所定の記録信号処理を施すと共に、後述するリード／ライト部１０およびサーボ部１４から得られる信号に基づきリード／ライト部１０およびサーボ制御部１４を制御することにより、記録データが光ディスク１００の所定のアドレスに書き込まれるように、書き込み動作を制御する。
【００４４】
フォーマッタ／アンフォーマッタ部１２からドライブ制御部１１に供給された本線系ＡＶデータ、補助ＡＶデータ、リアルタイムメタデータおよびヘッダ、フッタは、所定サイズのＥＣＣ(Error Correction Coding)ブロック単位でエラー訂正符号化される。エラー訂正符号化されたデータは、所定に記録符号化され、記録信号とされてリード／ライト部１０に供給される。
【００４５】
リード／ライト部１０は、例えばレーザダイオードからなる光ピックアップと、光ピックアップのレーザパワーを、記録再生の動作モードに応じて所定に制御するレーザ駆動回路を有する。また、リード／ライト部１０は、ディスク１００の半径方向に対する光ピックアップの位置を、サーボ制御部１４から供給されるスレッド制御信号に基づき制御するスレッド駆動部を有する。サーボ制御部１４は、ドライブ制御部１１およびシステム制御部１７からそれぞれ供給される制御信号に基づき、スレッド駆動部の制御と、光ディスク１００を回転駆動するための図示されないスピンドルモータの制御とを行う。
【００４６】
リード／ライト部１０は、ドライブ制御部１１から供給された記録信号に基づき光ピックアップを駆動し、光ディスク１００に対して記録信号に基づく記録を行う。記録位置は、記録動作に先立って光ディスク１００から予め読み込まれたファイルシステムＦＳの情報などに基づく、光ディスク１００の領域使用状況を示す情報や、制御入出力端からの指示に基づき、システム制御部１７およびドライブ制御部１１により指定される。
【００４７】
なお、この実施の一形態では、光ディスク１００に対する記録動作は、年輪単位毎に連続的に行われる。また、この実施の一形態では、光ディスク１００の最小記録単位のブロックサイズとＥＣＣブロックのサイズとが同一とされ、光ディスク１００の最小記録単位とＥＣＣブロックとが一致するように記録される。すなわち、この実施の一形態においては、ＥＣＣブロックは、記録信号処理の単位であると共に、実際に光ディスク１００におけるデータの読み書きの単位となるブロックである。
【００４８】
さらに、年輪単位毎に、例えば１乃至数ＥＣＣブロック分の所定データ列からなるマーカブロックが記録される。このマーカブロックは、１年輪分を記録中に記録エラーなどが生じた場合に、直前の年輪までの記録データを再生可能とするために用いられる。したがって、１年輪分の記録が完了する毎に、当該年輪のマーカブロックは、不要となる。
【００４９】
再生系の構成について説明する。制御入出力端からシステム制御部１７に対して再生動作が指示される。システム制御部１７は、この再生動作指示に基づき、この記録再生装置の各部に、再生動作を開始できるように命令を出す。リード／ライト部１０が所定に制御され、光ディスク１００の指定されたアドレスから、記録単位毎に読み出しがなされる。読み出された再生信号は、リード／ライト部１０からドライブ制御部１１に供給される。
【００５０】
ドライブ制御部１１は、供給された再生信号の記録符号を復号化して再生データとし、さらに、再生データのエラー訂正符号を復号化してエラー訂正を行う。エラー訂正された再生データは、フォーマッタ／アンフォーマッタ部１２に供給される。フォーマッタ／アンフォーマッタ部１２は、供給された再生データを、本線系ＡＶデータ、補助ＡＶデータおよびリアルタイムメタデータといったデータ種類毎に分離する。例えば、供給された再生データは、フォーマッタ／アンフォーマッタ部１２が有するメモリに溜め込まれる。１年輪分が溜め込まれると、年輪を構成する各データが読み出され、それぞれ対応する処理部に供給される。本線系ＡＶデータおよび補助ＡＶデータは、再生信号処理部１６に供給される。また、リアルタイムメタデータは、メタデータ処理部１５に供給される。
【００５１】
メタデータ処理部は、供給されたリアルタイムメタデータを解読し、解読された情報をシステム制御部１７に供給する。
【００５２】
再生信号処理部１６は、供給された本線系ＡＶデータと、補助ＡＶデータとに所定の信号処理を施す。例えば、本線系ＡＶデータと補助ＡＶデータとがそれぞれまたは何方か一方が復号化される。復号化せずに出力することもできる。なお、補助ＡＶデータについて、ビデオデータは、１０フレームで１ＧＯＶが形成されているため、１ＧＯＶ単位で復号化がなされる。また、オーディオデータは、Ａ−Ｌａｗ方式による語長圧縮を瞬時伸長され、ダウンサンプリングされたサンプリング周波数が４８ｋＨｚにアップサンプリングされる。アップサンプリングの際に、記録時と同様の、５１２タップのＦＩＲフィルタがローパスフィルタとして用いられ、音質劣化が最小限に抑えられる。
【００５３】
ネットワークインターフェイス（Ｉ／Ｆ）１８は、例えばインターネットやＬＡＮ(Local Area Network)といったネットワークと接続され、ネットワークを介した通信を制御する。例えばこの記録再生装置は、ネットワークを介して送信されたＡＶデータを受信し、光ディスク１００に記録することができる。
【００５４】
例えば、ネットワークを介して送信され、ネットワークＩ／Ｆ１８により受信されたＡＶデータは、フォーマッタ／アンフォーマッタ部１２に供給される。この場合、ネットワークＩ／Ｆ１８から記録信号処理部１３に供給するようにしてもよい。また、ネットワークＩ／Ｆ１８から直接的にドライブ制御部１１に供給することも考えられる。例えば、システム制御部１７は、ネットワークＩ／Ｆ１８にＡＶデータが受信されると、受信されたＡＶデータの形式を判断し、必要に応じて記録信号処理、フォーマッタ／アンフォーマッタ部１２による処理、メタデータ処理などを行う。処理後のＡＶデータは、ドライブ制御部１１に供給され、所定の処理を施された後、光ディスク１００に記録される。
【００５５】
光ディスク１００から読み出されたＡＶデータや補助ＡＶデータをフォーマッタ／アンフォーマッタ部１２を介してネットワークＩ／Ｆ１８に供給し、ネットワークに向けて送信することもできる。この場合、補助ＡＶデータは、低ビットレートで以て圧縮符号化されているため、ネットワークで送信するのに用いて好適である。
【００５６】
この記録再生装置は、光ディスク１００上のクリップに対して編集作業を行うことができる。例えば、外部から供給されたＡＶデータや、光ディスク１００自身に記録された他のＡＶデータを用いて、光ディスク１００上のＡＶデータに対する編集処理を行うことができる。
【００５７】
次に、この発明に適用可能な編集方法について説明する。この発明では、光ディスク１００といったランダムアクセス可能な記録媒体上に記録されたクリップに対する編集を、破壊編集により行う。破壊編集は、編集対象となる下地データに対して、必要部分のデータを上書きする処理である。破壊編集においては、ＩＮ点およびＯＵＴ点といった編集点の指示、ならびに、インサート編集やアセンブル編集といった編集モードの指定に従い、下地データの適当なデータを編集データで上書きし、直接的に書き換える。このとき、下地データの当該記録媒体上の別領域への移動や複製は行われない。なお、以下では、編集対象として編集点が設定される側のデータを下地記録または下地データと呼び、編集点に対して書き込む側のデータを編集データと呼ぶ。
【００５８】
図５を用いて、より具体的に説明する。図５Ａに示される編集前のクリップ＃１を下地データとして、クリップ＃１に対してＩＮ点およびＯＵＴ点を設定して編集対象を指定し、このＩＮ点およびＯＵＴ点間に、編集データとして他の映像カットを挿入するインサート編集について考える。破壊編集では、下地データのＩＮ点およびＯＵＴ点間に、編集データが直接的に上書き記録される。したがって、編集後は、図５Ｂに一例が示されるように、クリップ＃１において、クリップ＃１の先頭からＩＮ点までが下地データ（元のクリップ＃１のデータ）となり、ＩＮ点およびＯＵＴ点間が編集データとなり、さらに、ＯＵＴ点からクリップ＃１の終端までが下地データとなる。
【００５９】
なお、破壊編集においても、クリップ＃１本体の編集に伴い、クリップ＃１に対応するヘッダＨ＃１およびフッタＦ＃１が書き換えられる。
【００６０】
このように、破壊編集では、下地記録において編集対象区間外のデータは、書き換えなどの必要が無いため、編集実行に要する時間は、最小限で済む。また、編集データが下地の編集対象区間に上書きされるため、未使用領域が編集によって変化することがない。したがって、未使用領域のサイズや未使用領域の分断化の程度といった、未使用領域の状態の如何および編集の複雑さの如何に関わらず、常に編集動作を実行可能である。さらに、破壊編集では、編集によるデータ配置の移動は発生しないため、下地記録によるクリップ（図５Ａの例ではクリップ＃１）が連続再生可能であれば、編集結果も、連続再生が可能であることが保障される。
【００６１】
このように、この発明は、ノンリニア記録媒体を用いて、下地データに対して編集データを上書きする破壊編集を行うため、編集実行に際し記録媒体の空き領域を必要としない。また、破壊編集により、書き換え対象のデータが最小限となるため、編集動作に伴う書き換えに要する時間が短い。さらに、破壊編集により、下地データに対して編集データを上書きして編集を行うため、編集結果を再生する際にも、編集前に対してシーク動作が増加することがないという効果がある。また、それにより高度な編集が可能となる。
【００６２】
ここで、破壊編集の際に編集対象区間内にディフェクトが存在し、それにより交替処理が行われる場合について考える。例えば、図６Ａに一例が示されるように、クリップ＃１に指定されたＩＮ点およびＯＵＴ点に基づき破壊編集を行う際に、ＩＮ点およびＯＵＴ点間、すなわち編集対象区間にディフェクト部２００が存在する場合、交替処理により、ディフェクト部２００に対応したサイズの交替部２０１が交替領域内に設けられ、データの配置情報が変更される。その結果、破壊編集によりＩＮ点およびＯＵＴ点間の下地データに対して編集データを上書きする際に、交替処理がなされ、本来ディフェクト部２００に書き込まれるべきデータが交替領域内の交替部２０１に書き込まれる。
【００６３】
この編集結果を再生する際の動作は、図６Ｂに一例が示されるようになる。すなわち、クリップ＃１を再生し、再生位置がディフェクト部２００の先頭位置ａに達すると、交替部２０１の先頭位置ａ’へのシークがなされ、交替部２０１が先頭位置ａ’から再生される。そして、再生が交替部２０１の終端位置ｂ’に達すると、ディフェクト部２００の終端位置ｂまでシークがなされ、以降、このディフェクト部２００の終端位置ｂから例えばクリップ＃１の終端まで、再生が継続される。
【００６４】
このように、破壊編集時に編集対象区間内においてディフェクトが存在すると、交替処理により、編集データの一部が交替領域内に書き込まれてしまい、編集結果を再生する際に、交替領域へのシーク動作が発生してしまう。このとき、ディフェクト位置と交替領域とが離れた位置にあると、シーク動作に多大な時間を要してしまい、再生動作が破綻してしまう可能性がある。特に、記録媒体として光ディスク１００のような、シーク動作に比較的長い時間を要する記録媒体を用いている場合には、実時間再生動作を保証するのが困難となってしまう。この発明は、このような、破壊編集時の交替処理による実時間再生処理の破綻を防ぐようにしたものである。
【００６５】
以下に、この発明の実施の第１の形態について説明する。この発明の実施の第１の形態は、破壊編集時の交替処理を制限して、上述したような、破壊編集時の交替処理によるシーク動作を抑制する。より具体的には、破壊編集時の交替処理を禁止する。これにより、編集対象区間内にディフェクトが存在した場合でも、データの配置情報に変化が無く、シーク動作に対する影響も生じない。したがって、編集結果の再生時に交替処理によるシーク動作が起こらず、編集結果の実時間再生が保障される。
【００６６】
図７を用いて説明する。ＩＮ点およびＯＵＴ点で示される編集対象区間にディフェクト部２００が存在しても、破壊編集による編集対象区間に対する編集データの上書きは、ディフェクト部２００を無視して継続される。実際にディフェクト部２００が編集対象区間内に存在する場合には、当該ディフェクト部２００の区間に記録されるべきデータは、失われるが、編集結果の再生時において、シーク動作による再生動作の破綻は、生じない。そのため、再生位置がディフェクト部２００を通過した後は、比較的容易に正常動作に復帰することができる。したがって、編集されたクリップ＃１全体を通しての実時間再生動作が可能である。
【００６７】
実際には、ディフェクトの発生確率は、低いため、交替処理の禁止により失われるデータは、極めて一部に限定されたものとなる。
【００６８】
なお、交替処理を禁止する場合でも、ディフェクト部２００のディフェクトリストへの登録は、行ってもよい。ディフェクト位置を登録しておくことで、再生時に、何らかの対処が可能となる。すなわち、既知のディフェクト領域に関しては、ディフェクトリストを参照することで、ディフェクトの有無や、ディフェクトが存在する場合にはディフェクト位置が判明する。そこで、例えば編集結果の再生時に、ディフェクト位置では記録媒体へのアクセスを行わず、直前のデータをホールドして再生することが可能である。
【００６９】
次に、この発明の実施の第２の形態について説明する。この実施の第２の形態では、破壊編集の際のディフェクトに対する交替処理を、記録媒体に対して例えばフォーマット時などに予め設けられた本来の交替領域を用いて行うのではなく、ディフェクト位置の近傍にある不要領域または空き領域を代替的に用いて行う。
【００７０】
この交替領域の代替領域としては、例えば上述したマーカブロックが用いて好適である。マーカブロックは、上述したように、年輪単位毎に配置されると共に、１年輪分の記録が終了した時点でファイルシステムが正常に書き込まれれば、当該年輪のためのマーカブロックは、不要となる。したがって、編集を行う際には、マーカブロックは、他用途に使用可能な状態となっており、交替領域の代替領域として用いることが可能である。
【００７１】
図８は、年輪構造に対する一例のマーカブロック２０２の配置を示す。この例では、年輪＃Ｎのマーカブロック２０２＃Ｎは、年輪＃Ｎの先頭側に配置される。年輪＃Ｎ内の各データから見ると、当該年輪＃Ｎ自身のマーカブロック２０２＃Ｎと、次の年輪＃（Ｎ＋１）のマーカブロック２０２＃（Ｎ＋１）とが両側に配置されているように見える。したがって、マーカブロック２０２は、光ディスク１００上のどの年輪内から見ても、常に本来の交替領域よりもアクセス距離的に近い位置にあることになる。したがって、マーカブロック２０２を交替領域の代替領域として用いることで、交替処理に伴うシーク動作を極めて短い時間に抑えることができ、編集結果の再生時に交替処理によるシーク動作が実時間再生に影響することを避けることができる。
【００７２】
なお、この実施の一形態では、マーカブロック２０２のサイズは、光ディスク１００の記録単位としているＥＣＣブロック単位で、１乃至数ＥＣＣブロックとされる。１ＥＣＣブロックのサイズが６４ｋＢ（キロバイト）、マーカブロック２０２に対して３ＥＣＣブロックが割り当てられるとすれば、マーカブロック２０２のサイズは１９２ｋＢとされ、年輪内のディフェクト部２００に対する交替領域として十分に使用可能であると考えられる。
【００７３】
図９および図１０を用いて、マーカブロック２０２を交替領域の代替領域として用いた場合の交替処理の例について説明する。図９は、編集時の動作の例を示す。図９Ａに一例が示されるように、ＩＮ点およびＯＵＴ点で指定される編集対象区間内にディフェクト部２００が存在するものとする。図９Ｂは、図９Ａのディフェクト部２００を拡大した例である。ディフェクト部２００は、実際には年輪のサイズに対して極めて小さいものと考えられる。実際のディフェクト部は、例えば、図９Ｂに例示されるように、本線オーディオデータＡ１領域内の一部（ディフェクト部２００Ａ）であったり、本線ビデオデータ領域内の一部（ディフェクト部２００Ｂ）であったりする。
【００７４】
破壊編集動作中の交替処理は、年輪＃Ｎの前後に存在するマーカブロック２０２＃Ｎ、２０２＃（Ｎ＋１）のうち、ディフェクト位置に近いマーカブロック２０２を交替領域の代替領域として用いることで行う。図９Ｂの例では、ディフェクトが本線オーディオデータＡ１領域内にディフェクト部２００Ａとして存在するときは、マーカブロック２０２＃Ｎおよび２０２＃（Ｎ＋１）のうち、ディフェクト部２００Ａにより近いマーカブロック２０２＃Ｎを交替領域の代替領域として用いて、交替処理を行う。
【００７５】
例えば、破壊編集の際に、編集対象区間内の本線オーディオデータＡ１領域にディフェクト部２００Ａが存在する場合、交替処理により、ディフェクト部２００Ａにより近いマーカブロック２０２＃Ｎが交替領域の代替領域として選択され、当該領域に対して交替部２０３Ａが設けられ、データの配置情報が変更される。その結果、破壊編集によりＩＮ点およびＯＵＴ点間の下地データに対して編集データを上書きする際に、交替処理がなされ、本来ディフェクト部２００Ａに書き込まれるべきデータが、マーカブロック２０２＃Ｎ内の交替部２０３Ａに対して書き込まれる。
【００７６】
ディフェクトが本線ビデオデータ領域内にディフェクト部２００Ｂとして存在する場合も、同様である。この場合には、マーカブロック２０２＃Ｎおよび２０２＃（Ｎ＋１）のうち、ディフェクト部２００Ｂにより近いマーカブロック２０２＃（Ｎ＋１）を交替領域の代替領域として用い、マーカブロック２０２＃２内に交替部２０３Ｂを設け、破壊編集の際に、本来ディフェクト部２００Ｂに書き込まれるべきデータを交替部２０３Ｂに書き込むことで、交替処理を行う。
【００７７】
図１０は、編集結果を再生する際の動作の例を示す。例えばディフェクト部２００Ａに対して交替部２０３Ａを用いて交替処理を行った場合、クリップ＃１を再生し、再生位置がディフェクト部２００Ａの先頭位置ｃに達すると、この位置ｃから交替部２０３Ａの先頭位置ｃ’へシークがなされ、交替部２０３Ａが先頭位置ｃ’から再生される。そして、再生が交替部２０３Ａの終端位置ｄ’に達すると、位置ｄ’からディフェクト部２０３Ａの終端位置ｄまでシークがなされ、以降、このディフェクト部２０３Ａの終端位置ｄから例えばクリップ＃１の終端まで、再生が継続される。
【００７８】
ディフェクト部２００Ｂに対して交替部２０３Ｂを用いて交替処理を行った場合も、同様である。すなわち、クリップ＃１を再生し、再生位置がディフェクト部２００Ｂの先頭位置ｅに達すると、この位置ｅから交替部２０３Ｂの先頭位置ｅ’へシークがなされ、交替部２０３Ｂが先頭位置ｅ’から再生される。そして、再生が交替部２０３Ｂの終端位置ｆ’に達すると、位置ｆ’からディフェクト部２０３Ｂの終端位置ｆまでシークがなされ、以降、このディフェクト部２０３Ｂの終端位置ｆから例えばクリップ＃１の終端まで、再生が継続される。
【００７９】
このように、この発明の実施の第２の形態によれば、ディフェクトに対する交替処理が、本来の交替領域よりも近い位置であって、且つ、ディフェクト位置の近傍に設けられる交替領域の代替領域を用いてなされる。そのため、破壊編集後の再生動作においても、交替処理によるシーク動作が極めて短い距離で済み、交替処理に伴うシーク動作が実時間再生に影響することが避けられる。
【００８０】
なお、上述では、年輪に対するマーカブロックを、マーカブロック本来の機能が不要となった後に交替領域の代替領域として用いたが、これはこの例に限定されない。例えば、記録媒体上に、所定の期間毎に交替領域の代替領域として用いることができる領域を別途、設けるようにしてもよい。また、この場合、記録フォーマットが年輪形式である必要はなく、任意のフォーマットに対してこの発明の実施の第２の形態を適用することができる。
【００８１】
さらに、上述では、当初書き込まれた情報が編集時には不要となっている領域を交替領域の代替領域として用いるように説明したが、これはこの例に限定されない。例えば、編集時に空き領域となっている領域を、交替領域の代替領域として用いることができる。
【００８２】
また、マーカブロックを交替領域の代替領域として用いる場合でも、本来の交替領域およびディフェクトリストを用いた通常の交替処理を併用することができる。例えば、クリップが記録される領域に対する破壊編集時に、マーカブロックを交替領域委の代替領域として用い、それ以外の動作、例えばＮＲＴ領域に対するアクセスの際には、本来の交替領域を用いた通常の交替処理を行うようにできる。
【００８３】
さらに、上述では、本線ビデオデータ領域や本線オーディオデータ領域にディフェクトが存在する場合の交替処理について説明したが、ディフェクトが補助ＡＶデータ領域やリアルタイムメタデータ領域に存在する場合でも、同様にして交替処理が行われる。
【００８４】
次に、この発明の実施の第１および第２の形態に適用可能な一例の編集動作について、図１１および図１２のフローチャートを用いて概略的に説明する。なお、図１１および図１２において、符号「Ａ」および「Ｂ」は、図１１および図１２間で対応する符号に処理が移行することを示す。
【００８５】
なお、図１１および図１２に示される処理は、例えば図４を用いて説明したシステム制御部１７により判断および実行命令などがなされる処理である。また、ここでは、実際のＩＮ点およびＯＵＴ点の指定や、再生開始、再生終了などの指示は、記録再生装置と例えばＲＳ−４２２をインターフェイスとして接続される編集操作部を用いてなされる、所謂９ピン制御によって行われるものとする。システム制御部１７は、この編集操作部から供給される各種制御信号に従い、記録再生装置の各部を制御する。
【００８６】
図１１において、動作開始点がＩＮ点から一定時間前に既に戻され、プリロール開始点への頭出しが完了しているものとする。ステップＳ１０で、プリロール開始点からの再生動作（プリロール動作）が開始される。次に、編集操作部からの、編集対象のデータ種類などを示すエディットプリセット信号に基づき、編集対象が指定されているか否かが判断され（ステップＳ１１）、指定されていなければ、処理はステップＳ１０に戻される。編集対象が指定されていれば、処理はステップＳ１２に移行され、編集動作が実行可能か否かが判断される。編集動作の実行が可能であると判断されれば、処理はステップＳ１３に移行され、記録再生装置において、エディットプリセットに対する応答であるエディットフラグが立てられる。
【００８７】
一方、ステップＳ１２で、例えば当該記録再生装置が編集動作そのものに対応していないなど、何らかの理由で編集動作の実行が不可能であると判断されれば、処理は図１２のステップＳ２６に移行され、編集不能に対するエラー処理が行われる。
【００８８】
ステップＳ１３でエディットフラグが立てられると、次に、ステップＳ１４〜ステップＳ１６で調相動作が行われる。調相動作は、編集元のビデオデータと編集先のビデオデータとが所定の位相関係になるように、例えばフレームパルスを用いて調整する動作である。調相動作により、編集元のビデオデータと編集先のビデオデータとの位相がフレーム単位で制御される。ステップＳ１５で、調相動作が完了しサーボロックされたか否かが判断される。調相動作が完了しておらず、サーボロックがかけられていないと判断されれば、処理はステップＳ１４に戻される。ステップＳ１５でサーボロックされたと判断されれば、処理はステップＳ１６に移行し、再生速度が変更された否かが判断される。若し、停止、順方向早送り、逆方向早送り、順方向スロー再生、逆方向スロー再生など、再生速度に変更があったと判断されたら、処理はステップＳ１４に戻される。再生速度に変更が無ければ、調相動作が完了したとして、処理はステップＳ１７に移行される。
【００８９】
ステップＳ１７では、編集操作部からの編集開始点（ＩＮ点）を指示するＥＤＩＴ  ＯＮ信号が待機される。このＥＤＩＴ  ＯＮ信号のタイミングが編集開始点（ＩＮ点）のタイミングとなり、記録再生装置は、このＥＤＩＴ  ＯＮ信号により、実際の編集動作を開始する。次のステップＳ１８（図１２参照）で、編集可能か否かが判断される。若し、何らかの理由で編集が不可能であると判断されれば処理はステップＳ２６に移行し、編集不能に対するエラー処理が行われる。編集可能であると判断されれば処理はステップＳ１９に移行され、実際の編集動作を開始するための処理が行われる。
【００９０】
ステップＳ１９での編集開始処理が終わると、ステップＳ２０で、実際の編集動作が実行される。編集動作は、編集操作部からの編集終了点（ＯＵＴ点）を示すＥＤＩＴ  ＯＦＦ信号が受信されるまで、継続して行われる（ステップＳ２１）。
【００９１】
ＥＤＩＴ  ＯＦＦ信号を受信し、編集動作が終了すると、処理はステップＳ２２に移行され、編集先のＡＶデータにおいてＯＵＴ点以降が継続的に再生される、ポストロール動作が行われる。
【００９２】
ポストロール動作中にＥＤＩＴ  ＯＮ信号が受信され、さらにＩＮ点が指定されることが起こりうる。ステップＳ２３では、ポストロール動作中にＥＤＩＴ  ＯＮ信号を受信したか否かが判断される。受信したと判断されれば、処理はステップＳ１８に戻され、受信されたＥＤＩＴ  ＯＮ信号に基づく編集動作が行われる。
【００９３】
一方、ステップＳ２３でＥＤＩＴ  ＯＮ信号が受信されないと判断されれば、処理はステップＳ２４に移行され、再生速度が変更されたか否かが判断される。若し、停止、順方向早送り、逆方向早送り、順方向スロー再生、逆方向スロー再生など、再生速度に変更があったと判断されたら、編集動作が完了したとして、処理はステップＳ２５に移行され、編集完了処理が行われる。一方、ステップＳ２４で、再生速度に変更がなされていないと判断されれば、処理はステップＳ２２に戻され、ポストロール動作が継続される。
【００９４】
図１３は、上述したステップＳ１９の編集開始処理の一例をより詳細に示す。ステップＳ３０で、交替処理に対する制限が設定される。例えば、上述したこの発明の実施の第１の形態では、このステップＳ３０で、破壊編集時の交替処理の禁止が設定される。また、この発明の実施の第２の形態では、このステップＳ３０で、マーカブロックのような、記録媒体に予め交替領域として設定された以外の所定領域を交替領域の代替領域として用いた交替処理を行うように設定される。
【００９５】
ステップＳ３１で、例えば本線系ビデオデータおよびオーディオデータ、補助ＡＶデータのビデオデータおよびオーディオデータ、ならびに、リアルタイムメタデータなどに対する、編集動作に伴う信号処理を開始する開始点が算出され、次のステップＳ３２で、編集されたデータの記録媒体上への書き戻しを開始するブロック（ＥＣＣブロック）が算出される。そして、ステップＳ３３で、上述したステップＳ３０〜ステップＳ３２の処理を踏まえて、編集元および編集先それぞれのＡＶデータの符号化処理が行われる。なお、上述のステップＳ３０〜ステップＳ３２の処理の順序は、この順に限られない。
【００９６】
図１４は、上述したステップＳ２０の編集実行処理の一例を、より詳細に示す。図１４は、編集実行処理のうち、記録媒体へのアクセスに関する処理を中心に示す。この図１４に示す編集実行処理と並行して、編集に伴うＡＶデータの復号化処理や符号化処理が行われている。図１４の説明に先立って、理解を容易とするために、記録と再生を並列的に行う場合の、バッファメモリの使用について、概略的に説明する。
【００９７】
１枚の光ディスク１００上に編集元のＡＶデータと編集先のＡＶデータとが記録され、当該光ディスク１００上で編集が完結される場合、編集実行時には、光ディスク１００からのＡＶデータの読み出しおよび再生と、光ディスク１００に対するＡＶデータの書き戻しとが、記録単位で並列的に行われることになる。例えば、ＡＶデータが記録単位毎に、記録単位のＡＶデータの再生時間よりも高速に読み出され、バッファに溜め込まれる。バッファに溜め込まれたＡＶデータは、デコード速度で読み出され再生される。バッファアンダーフロー状態が発生しないように、光ディスク１００からのデータの読み出し速度と、バッファからのＡＶデータの読み出し速度とが所定に制御される。ＡＶデータの書き戻しは、記録単位のＡＶデータがバッファに溜め込まれるのを待って、行われる。
【００９８】
図１４の説明に戻り、ステップＳ６０で、編集動作が継続されるか否かが判断される。継続される場合、処理はステップＳ６１に移行される。ステップＳ６１では、再生用のデータがバッファに所定量だけ確保されているか否かが判断される。若し、バッファに溜め込まれたＡＶデータが所定量以下であると判断されれば、処理はステップＳ６４に移行し、再生用のデータが読み出され、バッファに溜め込まれる。
【００９９】
一方、ステップＳ６１で、再生用データがバッファに所定量以上確保されていると判断されれば、処理はステップＳ６２に移行する。ステップＳ６２では、バッファに溜め込まれている書き戻しデータが所定量に達したか否かが判断される。若し、所定量に達していると判断されれば、処理はステップＳ６３に移行し、バッファに溜め込まれたＡＶデータが光ディスク１００に対して書き戻される。一方、書き戻しデータがバッファに所定量、溜め込まれていないと判断されれば、処理はステップＳ６０に戻される。
【０１００】
図１５は、上述したステップＳ２２のポストロール動作の一例をより詳細に示す。図１５は、ポストロール動作のうち、記録媒体へのアクセスに関する処理を中心に示す。この図１５に示すポストロール動作と並行して、ポストロール動作による再生に伴うＡＶデータの復号化処理や符号化処理が行われている。
【０１０１】
先ず、ステップＳ４０で、図１３で説明した編集開始処理におけるステップＳ３１の信号処理開始点の算出処理と同様にして、信号処理を終了する終了点が算出される。次のステップＳ４１で、図１３のステップＳ３２と同様にして、編集されたデータの記録媒体上への書き戻しを終了するブロックが算出される。そして、次のステップＳ４２で、符号化処理が停止される。なお、このステップＳ４２の処理は省略することができる。
【０１０２】
次のステップＳ４３で、ポストロール動作が継続されるか否かが判断される。若し、継続されないと判断された場合、処理はステップＳ４８に移行され、図１３のステップＳ３０でなされた交替処理に対する制限が解除され、ポストロール動作が終了される。一方、ポストロール動作が継続されると判断された場合、処理はステップＳ４４に移行し、図１４で説明した編集動作の処理と同様にして、再生用のデータがバッファに所定量だけ確保されているか否かが判断される。若し、バッファに溜め込まれたＡＶデータが所定量以下であると判断されれば、処理はステップＳ４７に移行し、再生用のデータが読み出され、バッファに溜め込まれる。
【０１０３】
一方、ステップＳ４４で、再生用データがバッファに所定量以上確保されていると判断されれば、処理はステップＳ４５に移行する。ステップＳ４５では、記録媒体に書き戻すべきデータがあるか否かが判断される。例えば編集対象のデータの書き戻しが完了していないなど、書き戻すべきデータがあると判断されれば、処理はステップＳ４６に移行し、当該データの記録媒体への書き戻し処理が行われる。書き戻すべきデータがないと判断されれば、処理はステップＳ４３に戻される。
【０１０４】
なお、図１１および図１２を用いて説明した処理のうち、ステップＳ２３のＥＤＩＴ  ＯＮ信号受信の有無の判断およびステップＳ２４の再生速度変更の有無の判断は、実際には、図１５で説明したポストロール動作と並列的に実行することができる処理である。一例として、ポストロール動作中にＥＤＩＴ  ＯＮ信号の有無や再生速度変更の有無が判断され、ＥＤＩＴ  ＯＮ信号が受信されたり、再生速度変更が検出された場合には、ポストロール動作におけるデータの読み書きの処理や符号化、復号化などの処理が所定に終了され、ＥＤＩＴ  ＯＮ信号が受信された場合には処理がステップＳ１８に戻され、速度変更が検出された場合には処理がステップＳ２５に移行される。
【０１０５】
図１６は、上述したステップＳ２５の編集完了処理の一例をより詳細に示す。編集処理に伴い、ヘッダおよびフッタの情報が更新され、ヘッダおよびフッタに編集結果が反映される。ステップＳ５０で、このヘッダおよびフッタに対する処理が行われ、更新されたヘッダおよびフッタが記録媒体に書き戻される。次のステップＳ５１で、メタデータに関する処理が行われる。例えば、メタデータ処理部１５で生成された非時系列メタデータが記録媒体のＮＲＴ領域に書き込まれる。
【０１０６】
なお、上述では、この発明が光ディスク１００を記録媒体として用いた場合に適用されるように説明したが、これはこの例に限定されない。すなわち、この発明による破壊編集の際の交替処理の制御方法は、例えばハードディスクなどの他のディスク記録媒体にも適用可能なものである。これに限らず、所定サイズのブロック単位でランダムアクセスが可能とされていれば、半導体メモリなどさらに他のノンリニア記録媒体にも、この発明を適用することができる。
【０１０７】
また、上述では、この発明において、クリップの記録が年輪単位で行われるように説明したが、これはこの例に限定されない。クリップを構成するデータが年輪以外の他の配置で記録されている場合にも、この発明による破壊編集の際の交替処理の制御方法を適用することができる。
【図面の簡単な説明】
【０１０８】
【図１】ノンリニア記録媒体における一例のデータ配置を示す略線図である。
【図２】年輪構造について説明するための略線図である。
【図３】年輪構造について説明するための略線図である。
【図４】この発明に適用可能な記録再生装置の一例の構成を概略的に示す。
【図５】この発明による破壊編集を説明するための略線図である。
【図６】破壊編集時の交替処理について説明するための略線図である。
【図７】破壊編集時の交替処理を禁止した場合の処理について説明するための略線図である。
【図８】年輪構造に対する一例のマーカブロックの配置を示す略線図である。
【図９】マーカブロックを交替領域の代替領域として用いた場合の交替処理の例について説明するための略線図である。
【図１０】マーカブロックを交替領域の代替領域として用いた場合の交替処理の例について説明するための略線図である。
【図１１】この発明の実施の一形態に適用可能な一例の編集動作について説明するためのフローチャートである。
【図１２】この発明の実施の一形態に適用可能な一例の編集動作について説明するためのフローチャートである。
【図１３】編集開始処理の一例をより詳細に示すフローチャートである。
【図１４】編集実行処理の一例をより詳細に示すフローチャートである。
【図１５】ポストロール動作の一例をより詳細に示すフローチャートである。
【図１６】編集完了処理の一例をより詳細に示すフローチャートである。
【符号の説明】
【０１０９】
１１  ドライブ制御部
１２  フォーマッタ／アンフォーマッタ部
１３  記録信号処理部
１５  メタデータ処理部
１６  再生信号処理部
１７  システム制御部
２０  クリップ
２１  ビデオデータ
２２Ａ，２２Ｂ，２２Ｃ，２２Ｄ  オーディオデータ
２３  補助ＡＶデータ
２４  メタデータ
１００  光ディスク
２００，２００Ａ，２００Ｂ  ディフェクト部
２０１  交替部
２０２，２０２＃Ｎ，２０２＃（Ｎ＋１）  マーカブロック
２０３Ａ，２０３Ｂ  交替部
【図１】
2006107647.tif 000003
【図２】
2006107647.tif 000004
【図３】
2006107647.tif 000005
【図４】
2006107647.tif 000006
【図５】
2006107647.tif 000007
【図６】
2006107647.tif 000008
【図７】
2006107647.tif 000009
【図８】
2006107647.tif 000010
【図９】
2006107647.tif 000011
【図１０】
2006107647.tif 000012
【図１１】
2006107647.tif 000013
【図１２】
2006107647.tif 000014
【図１３】
2006107647.tif 000015
【図１４】
2006107647.tif 000016
【図１５】
2006107647.tif 000017
【図１６】
2006107647.tif 000018